(57)【要約】【課題】一方のユーザが登録操作を行なうことにより、他方のユーザが複雑な登録操作を行なうことなく、ビデオチャットサーバに対する初期設定を完了することができるようにして、ユーザにとっての利便性を向上させ実用に適し得るようにした映像処理装置及びその制御方法を提供すること。【解決手段】実施の形態によれば、映像処理装置は、サーバ（１４）の提供するビデオ通話サービスを利用して、相手側機器（１２）とネットワーク（１３）経由でビデオ通話を行なうものを対象としており、入力手段（２５，３１）を備える。入力手段（２５，３１）は、サーバ（１４）に対して、自己の顔映像を含む情報とビデオ通話相手の顔映像を含む情報とを、ペアで登録させるように入力する。【選択図】    図４
2014011682.tif 000002
【特許請求の範囲】
【請求項１】
サーバの提供するビデオ通話サービスを利用して、相手側機器とネットワーク経由でビデオ通話を行なう映像処理装置であって、
前記サーバに対して、自己の顔映像を含む情報とビデオ通話相手の顔映像を含む情報とを、ペアで登録させるように入力する入力手段を具備する映像処理装置。
【請求項２】
前記入力手段は、自己の顔映像とビデオ通話相手の顔映像とを撮影するための撮像手段を備える請求項１記載の映像処理装置。
【請求項３】
サーバの提供するビデオ通話サービスを利用して、相手側機器とネットワーク経由でビデオ通話を行なう映像処理装置であって、
自己の顔映像を撮影する撮像手段と、
前記撮像手段で撮影された顔映像を前記サーバに供給し、前記サーバから当該顔映像とペアで登録されたビデオ通話相手の顔映像を取得して表示させるように制御する表示制御手段と、
前記表示制御手段の制御に基づいて表示された顔映像が、正しいビデオ通話相手であるか否かの確認結果を入力する入力手段とを具備する映像処理装置。
【請求項４】
前記表示制御手段の制御に基づいて表示された顔映像が複数存在する場合、ビデオ通話相手とする顔映像を選択する選択手段を備える請求項３記載の映像処理装置。
【請求項５】
サーバの提供するビデオ通話サービスを利用して、第１の機器と第２の機器との相互間でネットワークを介したビデオ通話を行なうビデオ通話システムであって、
前記第１の機器は、
前記サーバに対して、当該第１の機器のユーザの顔映像を含む情報と、前記第２の機器のユーザの顔映像を含む情報とを、ペアで登録させるように入力する入力手段を備え、
前記第２の機器は、
当該第２の機器のユーザの顔映像を撮影する撮像手段と、
前記撮像手段で撮影された顔映像を前記サーバに供給し、前記サーバから当該顔映像とペアで登録された前記第１の機器のユーザの顔映像を取得して表示させるように制御する表示制御手段と、
前記表示制御手段の制御に基づいて表示された顔映像が、正しいビデオ通話相手であるか否かの確認結果を入力する入力手段とを備えるビデオ通話システム。
【請求項６】
前記第１の機器は、
前記第２の機器の入力手段で正しいビデオ通話相手である旨の確認結果が入力された場合、前記第２の機器のユーザの顔映像を表示させるように制御する表示制御手段と、
前記表示制御手段の制御に基づいて表示された顔映像のユーザとビデオ通話を行なうか否かを選択する選択手段とを備える請求項５記載のビデオ通話システム。
【請求項７】
サーバの提供するビデオ通話サービスを利用して、相手側機器とネットワーク経由でビデオ通話を行なう映像処理装置の制御方法であって、
前記サーバに対して、自己の顔映像を含む情報とビデオ通話相手の顔映像を含む情報とを、ペアで登録させるように制御する映像処理装置の制御方法。
【請求項８】
サーバの提供するビデオ通話サービスを利用して、相手側機器とネットワーク経由でビデオ通話を行なう映像処理装置の制御方法であって、
自己の顔映像を撮影し、
撮影された顔映像を前記サーバに供給し、
前記サーバから当該顔映像とペアで登録されたビデオ通話相手の顔映像を取得して表示し、
表示された顔映像が正しいビデオ通話相手であるか否かの確認結果を入力するように制御する映像処理装置の制御方法。
【発明の詳細な説明】
【技術分野】
【０００１】
この発明の実施の形態は、例えばデジタルテレビジョン放送受信装置等の映像処理装置及びその制御方法に関する。
【背景技術】
【０００２】
周知のように、現在では、例えばデジタルテレビジョン放送受信装置等の複数の映像処理装置を、インターネットのようなネットワーク回線網に接続し、これら各映像処理装置の相互間でネットワーク回線網を利用してビデオ通話を行なえるようにした、いわゆる、ビデオチャットサービスが実用化されている。
【０００３】
ところで、このビデオチャットサービスを利用するためには、利用するユーザが、自己の映像処理装置を介して、例えばパスワード、ユーザＩＤ（識別情報）、機器ＩＤ等の固有情報を予めビデオチャットサーバに登録し、ビデオチャットサーバに対する初期設定を完了しておく必要がある。
【０００４】
しかしながら、このような固有情報を登録する作業は、例えば高齢者等のように機器の操作に不慣れなユーザにとって非常に煩雑であり、ビデオチャットサービスの普及に大きな障害となっている。このため、固有情報の登録、つまり、ビデオチャットサーバに対する初期設定を、どのように行なうかが今後の課題となっている。
【先行技術文献】
【特許文献】
【０００５】
【特許文献１】特開２０１０−２４５９５６号公報
【発明の概要】
【発明が解決しようとする課題】
【０００６】
一方のユーザが登録操作を行なうことにより、他方のユーザが複雑な登録操作を行なうことなく、ビデオチャットサーバに対する初期設定を完了することができるようにして、ユーザにとっての利便性を向上させ実用に適し得るようにした映像処理装置及びその制御方法を提供することを目的とする。
【課題を解決するための手段】
【０００７】
実施の形態によれば、映像処理装置は、サーバの提供するビデオ通話サービスを利用して、相手側機器とネットワーク経由でビデオ通話を行なうものを対象としており、入力手段を備える。入力手段は、サーバに対して、自己の顔映像を含む情報とビデオ通話相手の顔映像を含む情報とを、ペアで登録させるように入力する。
【図面の簡単な説明】
【０００８】
【図１】実施の形態としてのビデオチャットシステムの一例を概略的に説明するために示すブロック構成図。
【図２】同実施の形態におけるビデオチャットシステムを構成するデジタルテレビジョン放送受信装置の信号処理系の一例を概略的に説明するために示すブロック構成図。
【図３】同実施の形態におけるデジタルテレビジョン放送受信装置で使用されるリモートコントローラの一例を説明するために示す外観図。
【図４】同実施の形態におけるデジタルテレビジョン放送受信装置により一方のユーザが行なう登録動作の一例を説明するために示すフローチャート。
【図５】同実施の形態におけるデジタルテレビジョン放送受信装置により映像表示されるユーザ情報入力画面の一例を説明するために示す図。
【図６】同実施の形態におけるデジタルテレビジョン放送受信装置により他方のユーザが行なう登録動作の一例を説明するために示すフローチャート。
【図７】同実施の形態におけるデジタルテレビジョン放送受信装置により映像表示される通話相手確認画面の一例を説明するために示す図。
【図８】同実施の形態におけるデジタルテレビジョン放送受信装置により映像表示される通話相手確認画面の他の例を説明するために示す図。
【図９】同実施の形態におけるデジタルテレビジョン放送受信装置により他方のユーザが行なうビデオチャット開始動作の一例を説明するために示すフローチャート。
【図１０】同実施の形態におけるデジタルテレビジョン放送受信装置により他方のユーザが行なう登録動作の他の例を説明するために示すフローチャート。
【図１１】同実施の形態におけるデジタルテレビジョン放送受信装置により他方のユーザが行なうビデオチャット開始動作の他の例を説明するために示すフローチャート。
【図１２】同実施の形態におけるデジタルテレビジョン放送受信装置により映像表示される通話相手確認画面のさらに他の例を説明するために示す図。
【発明を実施するための形態】
【０００９】
以下、実施の形態について図面を参照して詳細に説明する。図１は、この実施の形態で説明するビデオチャットシステムの一例を概略的に示している。すなわち、このビデオチャットシステムは、ユーザＡの所持するデジタルテレビジョン放送受信装置１１と、ユーザＢの所持するデジタルテレビジョン放送受信装置１２とを、ネットワーク回線網１３によって接続している。
【００１０】
これらの各デジタルテレビジョン放送受信装置１１及び１２は、それぞれ、デジタルテレビジョン放送信号を受信してその映像表示や音声再生を行なうといった本来の機能を有するだけでなく、自己のユーザＡ及びＢについての顔の撮影や声の採集を行ない、その顔映像や音声等の信号をネットワーク回線網１３経由で送信するとともに、ネットワーク回線網１３経由で顔映像や音声等の信号を受信し、その映像表示や音声再生を行なう機能を有しているものとする。
【００１１】
そして、これらの各デジタルテレビジョン放送受信装置１１及び１２は、それぞれを同じネットワーク回線網１３に接続されているビデオチャットサーバ１４に登録して、当該ビデオチャットサーバ１４が提供するビデオチャットサービスを利用することにより、相互間でのビデオ通話を行なうことができるようになっている。
【００１２】
図２は、ユーザＡの所持するデジタルテレビジョン放送受信装置１１の信号処理系の一例を概略的に示している。なお、ユーザＢの所持するデジタルテレビジョン放送受信装置１２の信号処理系については、デジタルテレビジョン放送受信装置１１と同様な構成であるため、その説明を省略する。
【００１３】
すなわち、アンテナ１５で受信したデジタルテレビジョン放送信号は、入力端子１６を介してチューナ部１７に供給されることにより、所望のチャンネルの放送信号が選局される。このチューナ部１７で選局された放送信号は、復調復号部１８に供給されてデジタルの映像信号及び音声信号等に復元された後、信号処理部１９に出力される。
【００１４】
この信号処理部１９は、復調復号部１８から供給されたデジタルの映像信号及び音声信号に対してそれぞれ所定のデジタル信号処理を施している。そして、この信号処理部１９は、デジタルの映像信号を合成処理部２０に出力し、デジタルの音声信号を音声処理部２１に出力している。
【００１５】
このうち、合成処理部２０は、信号処理部１９から供給されるデジタルの映像信号に、ＯＳＤ（on screen display）信号を重畳して出力している。この合成処理部２０から出力されたデジタルの映像信号は、映像処理部２２に供給されて、後段の映像表示部２３で表示可能なフォーマットのアナログ映像信号に変換された後、上記映像表示部２３に供給されて映像表示に供される。
【００１６】
また、上記音声処理部２１は、入力されたデジタルの音声信号を、後段のスピーカ２４で再生可能なフォーマットのアナログ音声信号に変換している。そして、この音声処理部２１から出力されたアナログ音声信号が、上記スピーカ２４に供給されることにより音声再生に供される。
【００１７】
ここで、このデジタルテレビジョン放送受信装置１１は、上記した各種の受信動作を含む種々の動作を制御部２５によって統括的に制御されている。この制御部２５は、ＣＰＵ（central processing unit）２５ａを内蔵しており、デジタルテレビジョン放送受信装置１１の本体に設けられた操作部２６からの操作情報、または、リモートコントローラ２７から送信され受信部２８で受信された操作情報を受けることによって、その操作内容が反映されるように各部をそれぞれ制御している。
【００１８】
この場合、制御部２５は、メモリ部２５ｂを利用している。このメモリ部２５ｂは、主として、ＣＰＵ２５ａが実行する制御プログラムを格納したＲＯＭ（read only memory）と、該ＣＰＵ２５ａに作業エリアを提供するためのＲＡＭ（random access memory）と、各種の設定情報及び制御情報等が格納される不揮発性メモリとを有している。
【００１９】
また、この制御部２５には、ＨＤＤ（hard disk drive）２９が接続されている。この制御部２５は、ユーザＡによる操作部２６やリモートコントローラ２７の操作に基づき、上記信号処理部１９から得られるデジタルの映像信号及び音声信号をＨＤＤ２９に供給し、そのハードディスク２９ａに記録させるように制御することができる。
【００２０】
さらに、この制御部２５は、ユーザＡによる操作部２６やリモートコントローラ２７の操作に基づいて、ＨＤＤ２９よりハードディスク２９ａからデジタルの映像信号及び音声信号を読み出させ、信号処理部１９に供給することによって、以後、上記した映像表示及び音声再生に供させるように制御することができる。
【００２１】
また、この制御部２５には、ネットワークインターフェース３０が接続されている。このネットワークインターフェース３０は、上記したネットワーク回線網１３に接続されている。そして、このネットワーク回線網１３には、当該ネットワーク回線網１３を介した通信機能を利用してビデオチャットサービスを提供するための上記ビデオチャットサーバ１４が接続されている。
【００２２】
このため、制御部２５は、ユーザＡによる操作部２６やリモートコントローラ２７の操作に基づき、ネットワークインターフェース３０及びネットワーク回線網１３を介してビデオチャットサーバ１４にアクセスし、そこで提供しているビデオチャットサービスを利用することができるようになっている。
【００２３】
また、この制御部２５には、撮像部３１が接続されている。この制御部２５は、ユーザＡによる操作部２６やリモートコントローラ２７の操作に基づいて、撮像部３１に撮影を行なわせ、得られた映像信号を、映像表示部２３で映像表示するように制御すること、ＨＤＤ２９でハードディスク２９ａに記録するように制御することができる。
【００２４】
さらに、この制御部２５は、上記したビデオチャットサービスの利用に基づいて、撮像部３１に撮影を行なわせ、得られた映像信号を、ネットワークインターフェース３０を介してネットワーク回線網１３上に送信するように制御することや、ネットワーク回線網１３上からネットワークインターフェース３０が受信した映像信号を、映像表示部２３で映像表示するように制御することができる。
【００２５】
また、この制御部２５には、マイクロホン３２が接続されている。この制御部２５は、ユーザＡによる操作部２６やリモートコントローラ２７の操作に基づいて、マイクロホン３２に音声の採集を行なわせ、得られた音声信号を、スピーカ２４で音声再生するように制御すること、ＨＤＤ２９でハードディスク２９ａに記録するように制御することができる。
【００２６】
さらに、この制御部２５は、上記したビデオチャットサービスの利用に基づいて、マイクロホン３２に音声の採集を行なわせ、得られた音声信号を、ネットワークインターフェース３０を介してネットワーク回線網１３上に送信するように制御することや、ネットワーク回線網１３上からネットワークインターフェース３０が受信した音声信号を、スピーカ２４で音声再生するように制御することができる。
【００２７】
図３は、上記リモートコントローラ２７の外観の一例を示している。このリモートコントローラ２７には、主として、電源キー２７ａ、ビデオチャット起動キー２７ｂ、数字・かなキー２７ｃ、チャンネルアップダウンキー２７ｄ、音量調整キー２７ｅ、カーソル上移動キー２７ｆ、カーソル下移動キー２７ｇ、カーソル左移動キー２７ｈ、カーソル右移動キー２７ｉ、決定キー２７ｊ、メニューキー２７ｋ、戻るキー２７ｌ、終了キー２７ｍ、４色（青，赤，緑，黄）のカラーキー２７ｎ等が設けられている。
【００２８】
また、このリモートコントローラ２７には、再生停止キー２７ｏ、再生／一時停止キー２７ｐ、逆方向スキップキー２７ｑ、順方向スキップキー２７ｒ、早戻しキー２７ｓ、早送りキー２７ｔ等が設けられている。すなわち、上記ＨＤＤ２９に対しては、リモートコントローラ２７の再生停止キー２７ｏや再生／一時停止キー２７ｐを操作することによって、再生、停止、一時停止を行なうことが可能となる。
【００２９】
また、リモートコントローラ２７の逆方向スキップキー２７ｑや順方向スキップキー２７ｒを操作することによって、ＨＤＤ２９でハードディスク２９ａから読み取っている映像や音声等のデータを、その再生方向に対して逆方向や順方向に一定量ずつスキップさせる、いわゆる、逆方向スキップや順方向スキップを行なうことができる。
【００３０】
さらに、リモートコントローラ２７の早戻しキー２７ｓや早送りキー２７ｔ等を操作することにより、ＨＤＤ２９でハードディスク２９ａから読み取っている映像や音声等のデータを、その再生方向に対して逆方向や順方向に連続的に高速で再生させる、いわゆる、早戻し再生や早送り再生を行なうことができる。
【００３１】
図４は、ユーザＡが、ビデオチャットサーバ１４に登録を行なう場合の操作手順の一例をまとめたフローチャートを示している。この登録操作は、ユーザＡがリモートコントローラ２７のビデオチャット起動キー２７ｂを操作してビデオチャットサーバ１４にアクセスし、図５に一例を示すようなユーザ情報入力画面３３を取得して映像表示部２３に映像表示することで開始（ステップＳ４ａ）される。
【００３２】
すると、ユーザＡは、ステップＳ４ｂで、リモートコントローラ２７の数字・かなキー２７ｃを操作して、ユーザ情報入力画面３３の主登録者氏名の欄と２つの従属登録者氏名の欄の一方とに、それぞれ自己の氏名を入力する。なお、ユーザ情報入力画面３３の主登録機器ＩＤの欄には、デジタルテレビジョン放送受信装置１１の制御部２５が、自動的に自己の機器ＩＤを入力する。
【００３３】
その後、ユーザＡは、ステップＳ４ｃで、リモートコントローラ２７の数字・かなキー２７ｃを操作して、ユーザ情報入力画面３３の２つの従属登録者氏名の欄の他方に、ユーザＢの氏名を入力する。
【００３４】
次に、ユーザＡは、ステップＳ４ｄで、自己の顔を撮像部３１に撮影させることにより、ユーザ情報入力画面３３の主登録者に対応する欄に自己の顔映像を入力する。その後、ユーザＡは、ステップＳ４ｅで、ユーザＢの顔写真を撮像部３１に撮影させることにより、ユーザ情報入力画面３３の従属登録者に対応する欄にユーザＢの顔映像を入力する。
【００３５】
このようにして、ユーザ情報入力画面３３の各欄に必要な情報が入力されると、ビデオチャットサーバ１４は、ステップＳ４ｆで、ユーザ情報入力画面３３に入力されたユーザＡの情報とユーザＢの情報とをペアで記録し、ここに、ユーザＡによるビデオチャットサーバ１４への登録操作が終了（ステップＳ４ｇ）される。
【００３６】
図６は、ユーザＢがビデオチャットサーバ１４に登録を行なう手順の一例をまとめたフローチャートを示している。このユーザＢによるビデオチャットサーバ１４への登録は、先に述べたユーザＡによるユーザＢとのペアでのビデオチャットサーバ１４への登録が完了された状態で開始（ステップＳ６ａ）される。
【００３７】
すなわち、ユーザＢは、ステップＳ６ｂで、自分の顔が、自己の所持するデジタルテレビジョン放送受信装置１２の撮像部で撮影される位置に座り、ステップＳ６ｃで、デジタルテレビジョン放送受信装置１２に付随するリモートコントローラのビデオチャット起動キーを操作してビデオチャットサーバ１４にアクセスする。
【００３８】
これにより、デジタルテレビジョン放送受信装置１２は、ステップＳ６ｄで、自己の機器ＩＤとユーザＢの顔映像とをビデオチャットサーバ１４に送信する。すると、ビデオチャットサーバ１４は、ステップＳ６ｅで、登録されている多数のユーザ情報の中から、受信したユーザＢの顔映像と特徴が一致する顔映像を抽出し、ステップＳ６ｆで、その抽出した顔映像とペアで登録されているユーザＡの顔映像をデジタルテレビジョン放送受信装置１２に返信する。
【００３９】
このため、デジタルテレビジョン放送受信装置１２は、ステップＳ６ｇで、ビデオチャットサーバ１４から受信したユーザＡの顔映像を映像表示部２３に映像表示する。これにより、ユーザＢは、ステップＳ６ｈで、映像表示部２３の画面上でユーザＡの顔映像を確認することができる。
【００４０】
すると、デジタルテレビジョン放送受信装置１２は、ステップＳ６ｉで、図７に一例を示すような通話相手確認画面３４を映像表示部２３に映像表示する。この通話相手確認画面３４は、ユーザＡの顔映像３４ａと、「ユーザＡさんでよろしいですか？」という問い合わせメッセージ３４ｂと、「はい」なる選択項目３４ｃと、「いいえ」なる選択項目３４ｄとを表示している。
【００４１】
この通話相手確認画面３４に対して、ユーザＢは、ステップＳ６ｊで、表示されている顔映像３４ａがユーザＡであるか否かを判別する。例えば通話相手確認画面３４に表示されている顔映像３４ａがユーザＡと似た人の顔映像であるような場合、ユーザＢは、デジタルテレビジョン放送受信装置１２に付随するリモートコントローラのカーソル左または右移動キーを操作して、「いいえ」なる選択項目３４ｄを選択し、決定キーを操作する。これにより、ビデオチャット機能が終了（ステップＳ６ｋ）される。
【００４２】
また、上記ステップＳ６ｊで通話相手確認画面３４に表示されている顔映像３４ａがユーザＡである場合、ユーザＢは、デジタルテレビジョン放送受信装置１２に付随するリモートコントローラのカーソル左または右移動キーを操作して、「はい」なる選択項目３４ｃを選択し、決定キーを操作する。
【００４３】
すると、ビデオチャットサーバ１４は、ステップＳ６ｌで、既に入力されているユーザＡの情報（主登録者氏名、デジタルテレビジョン放送受信装置１１の機器ＩＤ、ユーザＡの顔映像等）と、ユーザＢの情報（従属登録者氏名、デジタルテレビジョン放送受信装置１２の機器ＩＤ、ユーザＢの顔映像等）とを対応付けて記録し、ここに、ユーザＢによるビデオチャットサーバ１４への登録が行なわれる。
【００４４】
すなわち、ユーザＢは、自己の所持するデジタルテレビジョン放送受信装置１２の撮像部で顔が撮影される位置に座り、リモートコントローラのビデオチャット起動キーを操作し、映像表示部２３に表示された通話相手確認画面３４に対して「はい」なる選択項目３４ｃを選択し、決定キーを操作するという、非常に簡易な操作を行なうだけでビデオチャットサーバ１４への登録を行なうことができる。つまり、ユーザＢは、複雑な登録操作を行なうことなく、ビデオチャットサーバ１４に対する初期設定を完了することができるようになる。このため、ユーザＢにとっての利便性を向上させることが可能となり、実用に適するものとなる。
【００４５】
このように、ユーザＢのビデオチャットサーバ１４への登録が完了すると、以後、ビデオチャットサーバ１４は、ステップＳ６ｍで、ユーザＡのデジタルテレビジョン放送受信装置１１に対して呼び出しを行ない、ステップＳ６ｎで、当該デジタルテレビジョン放送受信装置１１と通信可能に接続する。
【００４６】
すると、ユーザＡのデジタルテレビジョン放送受信装置１１は、ステップＳ６ｏで、図８に一例を示すような通話相手確認画面３５を映像表示部２３に映像表示する。この通話相手確認画面３５は、ユーザＢの顔映像３５ａと、「ユーザＢさんから着信中、接続しますか？」という問い合わせメッセージ３５ｂと、「はい」なる選択項目３５ｃと、「いいえ」なる選択項目３５ｄとを表示している。
【００４７】
この通話相手確認画面３５に対して、ユーザＡは、ステップＳ６ｐで、接続を許可する場合、リモートコントローラ２７のカーソル左または右移動キー２７ｈ，２７ｉを操作して、「はい」なる選択項目３５ｃを選択し、決定キー２７ｊを操作する。すると、デジタルテレビジョン放送受信装置１１は、ステップＳ６ｑで、ビデオチャットサーバ１４に対してユーザＢのデジタルテレビジョン放送受信装置１２との接続許可を返信する。
【００４８】
これにより、ビデオチャットサーバ１４は、ステップＳ６ｒで、ユーザＡのデジタルテレビジョン放送受信装置１１とユーザＢのデジタルテレビジョン放送受信装置１２とを通信可能に接続する。また、ユーザＢのデジタルテレビジョン放送受信装置１２は、ステップＳ６ｓで、ユーザＡのデジタルテレビジョン放送受信装置１１と通信可能となるように制御される。これにより、ユーザＢは、ユーザＡとのビデオチャットを開始（ステップＳ６ｔ）することができる。
【００４９】
図９は、上記のようにしてユーザＢのユーザＡを対象としたビデオチャットサーバ１４への登録が完了されている状態で、ユーザＢがユーザＡとビデオチャットを行なう手順の一例をまとめたフローチャートを示している。すなわち、開始（ステップＳ９ａ）されると、ユーザＢは、ステップＳ９ｂで、自己の所持するデジタルテレビジョン放送受信装置１２に付随するリモートコントローラのビデオチャット起動キーを操作してビデオチャットサーバ１４にアクセスする。
【００５０】
すると、デジタルテレビジョン放送受信装置１２は、ステップＳ９ｃで、過去に選択された接続相手、つまり、ユーザＡの所持するデジタルテレビジョン放送受信装置１１の機器ＩＤと、自己の機器ＩＤとをビデオチャットサーバ１４に送信する。これにより、ビデオチャットサーバ１４は、ステップＳ９ｄで、ユーザＢのデジタルテレビジョン放送受信装置１２に対する認証処理を実行する。
【００５１】
その後、ビデオチャットサーバ１４は、ステップＳ９ｅで、ユーザＡのデジタルテレビジョン放送受信装置１１に対して呼び出しを行ない、ステップＳ９ｆで、当該デジタルテレビジョン放送受信装置１１と通信可能に接続する。すると、ユーザＡのデジタルテレビジョン放送受信装置１１は、ステップＳ９ｇで、先に図８に一例を示した通話相手確認画面３５を映像表示部２３に映像表示する。
【００５２】
この通話相手確認画面３５に対して、ユーザＡは、ステップＳ９ｈで、接続を許可する場合、リモートコントローラ２７のカーソル左または右移動キー２７ｈ，２７ｉを操作して、「はい」なる選択項目３５ｃを選択し、決定キー２７ｊを操作する。すると、デジタルテレビジョン放送受信装置１１は、ステップＳ９ｉで、ビデオチャットサーバ１４に対してユーザＢのデジタルテレビジョン放送受信装置１２との接続許可を返信する。
【００５３】
これにより、ビデオチャットサーバ１４は、ステップＳ９ｊで、ユーザＡのデジタルテレビジョン放送受信装置１１とユーザＢのデジタルテレビジョン放送受信装置１２とを通信可能に接続する。また、ユーザＢのデジタルテレビジョン放送受信装置１２は、ステップＳ９ｋで、ユーザＡのデジタルテレビジョン放送受信装置１１と通信可能となるように制御される。これにより、ユーザＢは、ユーザＡとのビデオチャットを開始（ステップＳ９ｌ）することができる。
【００５４】
上記した実施の形態によれば、予めユーザＡが自己の情報とユーザＢの情報とをペアでビデオチャットサーバ１４に登録しておくことにより、ユーザＢは、ビデオチャットの起動操作とユーザＡの確認という簡易な操作を行なうだけで、ビデオチャットサーバ１４への登録を完了することができる。これにより、ユーザＢは、複雑な登録操作を行なうことなく、ビデオチャットサーバ１４に対する初期設定を完了することができ、ユーザＢにとっての利便性を向上させることが可能となり、実用に適するものとすることができる。
【００５５】
図１０は、ユーザＡがユーザＢとペアでビデオチャットサーバ１４に登録を完了し、かつ、別のユーザＣがユーザＢとペアでビデオチャットサーバ１４に登録を完了している場合に、ユーザＢがビデオチャットサーバ１４に登録を行なう手順の一例をまとめたフローチャートを示している。
【００５６】
すなわち、開始（ステップＳ１０ａ）されると、ユーザＢは、ステップＳ１０ｂで、自分の顔が、自己の所持するデジタルテレビジョン放送受信装置１２の撮像部で撮影される位置に座り、ステップＳ１０ｃで、デジタルテレビジョン放送受信装置１２に付随するリモートコントローラのビデオチャット起動キーを操作してビデオチャットサーバ１４にアクセスする。
【００５７】
これにより、ユーザＢのデジタルテレビジョン放送受信装置１２は、ステップＳ１０ｄで、自己の機器ＩＤとユーザＢの顔映像とをビデオチャットサーバ１４に送信する。すると、ビデオチャットサーバ１４は、ステップＳ１０ｅで、既に登録されている多数のユーザ情報の中から、受信したユーザＢの顔映像と特徴が一致する顔映像を抽出し、ステップＳ１０ｆで、その抽出した顔映像とペアで登録されているユーザＡの顔映像とユーザＣの顔映像とをデジタルテレビジョン放送受信装置１２に返信する。
【００５８】
このため、デジタルテレビジョン放送受信装置１２は、ステップＳ１０ｇで、ビデオチャットサーバ１４から受信したユーザＡの顔映像とユーザＣの顔映像とを映像表示部２３に映像表示する。そして、ユーザＢが、ステップＳ１０ｈで、デジタルテレビジョン放送受信装置１２に付随するリモートコントローラを操作して、ユーザＣの顔映像を選択し決定したとする。
【００５９】
すると、ビデオチャットサーバ１４は、ステップＳ１０ｉで、既に入力されているユーザＣの情報（主登録者氏名、デジタルテレビジョン放送受信装置の機器ＩＤ、ユーザＣの顔映像等）と、ユーザＢの情報（従属登録者氏名、デジタルテレビジョン放送受信装置１２の機器ＩＤ、ユーザＢの顔映像等）とを対応付けて記録し、ここに、ユーザＢによるユーザＣを対象としたビデオチャットサーバ１４への登録が行なわれる。
【００６０】
なお、上記ステップＳ１０ｈでユーザＢがユーザＡの顔映像を選択し決定すれば、ビデオチャットサーバ１４は、ステップＳ１０ｉで、既に入力されているユーザＡの情報（主登録者氏名、デジタルテレビジョン放送受信装置１１の機器ＩＤ、ユーザＡの顔映像等）と、ユーザＢの情報（従属登録者氏名、デジタルテレビジョン放送受信装置１２の機器ＩＤ、ユーザＢの顔映像等）とを対応付けて記録し、ここに、ユーザＢによるユーザＡを対象としたビデオチャットサーバ１４への登録が行なわれることになる。
【００６１】
すなわち、２人のユーザＡ及びＣによってそれぞれペアで登録されている場合にも、ユーザＢは、ビデオチャットの起動操作とユーザＡまたはＣの選択という簡易な操作を行なうだけで、選択したユーザＡまたはＣを対象としたビデオチャットサーバ１４への登録を完了することができる。これにより、ユーザＢは、複雑な登録操作を行なうことなく、ビデオチャットサーバ１４に対する初期設定を完了することができ、ユーザＢにとっての利便性を向上させることが可能となり、実用に適するものとすることができる。
【００６２】
その後、ビデオチャットサーバ１４は、ステップＳ１０ｊで、ユーザＣのデジタルテレビジョン放送受信装置に対して呼び出しを行ない、当該デジタルテレビジョン放送受信装置と通信可能に接続する。すると、ユーザＣのデジタルテレビジョン放送受信装置は、ステップＳ１０ｋで、先に図８に一例を示した通話相手確認画面３５を映像表示部２３に映像表示する。
【００６３】
この通話相手確認画面３５に対して、ユーザＣは、ステップＳ１０ｌで、自己のデジタルテレビジョン放送受信装置に付随するリモートコントローラを操作して接続を許可すると、ユーザＣのデジタルテレビジョン放送受信装置は、ステップＳ１０ｍで、ビデオチャットサーバ１４に対してユーザＢのデジタルテレビジョン放送受信装置１２との接続許可を返信する。
【００６４】
これにより、ビデオチャットサーバ１４は、ステップＳ１０ｎで、ユーザＣのデジタルテレビジョン放送受信装置とユーザＢのデジタルテレビジョン放送受信装置１２とを通信可能に接続する。また、ユーザＢのデジタルテレビジョン放送受信装置１２は、ステップＳ１０ｏで、ユーザＣのデジタルテレビジョン放送受信装置と通信可能となるように制御される。これにより、ユーザＢは、ユーザＣとのビデオチャットを開始（ステップＳ１０ｐ）することができる。
【００６５】
図１１は、上記のようにしてユーザＢによるユーザＡ及びＣを対象としたビデオチャットサーバ１４への登録が完了されている状態で、ユーザＢが一方のユーザＡとビデオチャットを行なう手順の一例をまとめたフローチャートを示している。すなわち、開始（ステップＳ１１ａ）されると、ユーザＢは、ステップＳ１１ｂで、自己の所持するデジタルテレビジョン放送受信装置１２に付随するリモートコントローラのビデオチャット起動キーを操作してビデオチャットサーバ１４にアクセスする。
【００６６】
すると、デジタルテレビジョン放送受信装置１２は、ステップＳ１１ｃで、図１２に一例を示すような通話相手確認画面３６を映像表示部２３に表示させる。この通話相手確認画面３６は、ユーザＢがユーザＡ及びＣを対象としたビデオチャットサーバ１４への登録を行なった際に、デジタルテレビジョン放送受信装置１２が取得した情報に基づいて作成されるもので、ユーザＡの顔映像３６ａと、ユーザＣの顔映像３６ｂと、「どちらの方とお話ししますか？」という問い合わせメッセージ３６ｃとを表示している。
【００６７】
この通話相手確認画面３６が表示された状態で、ユーザＢは、ステップＳ１１ｄで、自己のデジタルテレビジョン放送受信装置１２に付随するリモートコントローラのカーソル左または右移動キーを操作して、ユーザＡの顔映像３６ａを選択し決定キーを操作する。
【００６８】
すると、デジタルテレビジョン放送受信装置１２は、ステップＳ１１ｅで、ユーザＡの所持するデジタルテレビジョン放送受信装置１１の機器ＩＤと、自己の機器ＩＤとをビデオチャットサーバ１４に送信する。これにより、ビデオチャットサーバ１４は、ステップＳ１１ｆで、ユーザＢのデジタルテレビジョン放送受信装置１２に対する認証処理を実行する。
【００６９】
その後、ビデオチャットサーバ１４は、ステップＳ１１ｇで、ユーザＡのデジタルテレビジョン放送受信装置１１に対して呼び出しを行ない、ステップＳ１１ｈで、当該デジタルテレビジョン放送受信装置１１と通信可能に接続する。すると、ユーザＡのデジタルテレビジョン放送受信装置１１は、ステップＳ１１ｉで、先に図８に一例を示した通話相手確認画面３５を映像表示部２３に映像表示する。
【００７０】
この通話相手確認画面３５に対して、ユーザＡが、ステップＳ１１ｊで、デジタルテレビジョン放送受信装置１１のリモートコントローラ２７を操作して接続を許可すると、ユーザＡのデジタルテレビジョン放送受信装置１１は、ステップＳ１１ｋで、ビデオチャットサーバ１４に対してユーザＢのデジタルテレビジョン放送受信装置１２との接続許可を返信する。
【００７１】
これにより、ビデオチャットサーバ１４は、ステップＳ１１ｌで、ユーザＡのデジタルテレビジョン放送受信装置１１とユーザＢのデジタルテレビジョン放送受信装置１２とを通信可能に接続する。また、ユーザＢのデジタルテレビジョン放送受信装置１２は、ステップＳ１１ｍで、ユーザＡのデジタルテレビジョン放送受信装置１１と通信可能となるように制御される。これにより、ユーザＢは、ユーザＡとのビデオチャットを開始（ステップＳ１１ｎ）することができる。
【００７２】
ここで、上記した実施の形態では、ビデオチャットシステムを構成する機器としてデジタルテレビジョン放送受信装置１１，１２を示したが、ビデオチャットサービスを利用する機器としては、これに限るものではなく、例えばＰＣ（personal computer）、光ディスク記録再生装置、携帯情報端末等、映像及び音声の送受信が可能な機器であれば、適宜利用することができる。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７４】
１１，１２…デジタルテレビジョン放送受信装置、１３…ネットワーク回線網、１４…ビデオチャットサーバ、１５…アンテナ、１６…入力端子、１７…チューナ部、１８…復調復号部、１９…信号処理部、２０…合成処理部、２１…音声処理部、２２…映像処理部、２３…映像表示部、２４…スピーカ、２５…制御部、２５ａ…ＣＰＵ、２５ｂ…メモリ部、２６…操作部、２７…リモートコントローラ、２８…受信部、２９…ＨＤＤ、２９ａ…ハードディスク、３０…ネットワークインターフェース、３１…撮像部、３２…マイクロホン、３３…ユーザ情報入力画面、３４〜３６…通話相手確認画面。
【図１】
2014011682.tif 000003
【図２】
2014011682.tif 000004
【図３】
2014011682.tif 000005
【図４】
2014011682.tif 000006
【図５】
2014011682.tif 000007
【図６】
2014011682.tif 000008
【図７】
2014011682.tif 000009
【図８】
2014011682.tif 000010
【図９】
2014011682.tif 000011
【図１０】
2014011682.tif 000012
【図１１】
2014011682.tif 000013
【図１２】
2014011682.tif 000014
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
サーバの提供するビデオ通話サービスを利用して、相手側機器とネットワーク経由でビデオ通話を行なう映像処理装置であって、
自己の顔映像を撮影する撮像手段と、
前記撮像手段で撮影された顔映像を前記サーバに供給し、前記サーバから当該顔映像とペアで登録されたビデオ通話相手の顔映像を取得して表示させるように制御する表示制御手段と、
前記表示制御手段の制御に基づいて表示された顔映像が、正しいビデオ通話相手であるか否かの確認結果を入力する入力手段とを具備する映像処理装置。
【請求項２】
前記表示制御手段の制御に基づいて表示された顔映像が複数存在する場合、ビデオ通話相手とする顔映像を選択する選択手段を備える請求項１記載の映像処理装置。
【請求項３】
サーバの提供するビデオ通話サービスを利用して、第１の機器と第２の機器との相互間でネットワークを介したビデオ通話を行なうビデオ通話システムであって、
前記第１の機器は、
前記サーバに対して、当該第１の機器のユーザの顔映像を含む情報と、前記第２の機器のユーザの顔映像を含む情報とを、ペアで登録させるように入力する入力手段を備え、
前記第２の機器は、
当該第２の機器のユーザの顔映像を撮影する撮像手段と、
前記撮像手段で撮影された顔映像を前記サーバに供給し、前記サーバから当該顔映像とペアで登録された前記第１の機器のユーザの顔映像を取得して表示させるように制御する表示制御手段と、
前記表示制御手段の制御に基づいて表示された顔映像が、正しいビデオ通話相手であるか否かの確認結果を入力する入力手段とを備えるビデオ通話システム。
【請求項４】
前記第１の機器は、
前記第２の機器の入力手段で正しいビデオ通話相手である旨の確認結果が入力された場合、前記第２の機器のユーザの顔映像を表示させるように制御する表示制御手段と、
前記表示制御手段の制御に基づいて表示された顔映像のユーザとビデオ通話を行なうか否かを選択する選択手段とを備える請求項３記載のビデオ通話システム。
【請求項５】
サーバの提供するビデオ通話サービスを利用して、相手側機器とネットワーク経由でビデオ通話を行なう映像処理装置の制御方法であって、
自己の顔映像を撮影し、
撮影された顔映像を前記サーバに供給し、
前記サーバから当該顔映像とペアで登録されたビデオ通話相手の顔映像を取得して表示し、
表示された顔映像が正しいビデオ通話相手であるか否かの確認結果を入力するように制御する映像処理装置の制御方法。